(57)【要約】【課題】撮影画角内のいずれかの領域にＡＦエリアを設定する操作を行なっていたとしてもシャッタチャンスを逸することのない撮影装置を提供する。【解決手段】  撮影装置内に配備されている手ぶれ検出センサを操作検出用のセンサとしても用いる。そうするとこの撮影装置でワイドエリアモードを指定していずれかの領域にピントを設定しようとするときには、操作子などの操作を行なわなくても撮影装置を振るという簡単な操作で、ＡＦエリアを順次切り替えることができる。【選択図】  図１
2006171408.tif 000002
【特許請求の範囲】
【請求項１】
被写体像の照射を受けて画像信号を生成する撮像素子と、
ピント調整用の光学部材を含み前記撮像素子上に被写体像を結像する撮影光学系と、
撮影操作に応じて前記撮像素子に記録用の画像信号を生成させて記録する撮影部と、
前記光学部材を駆動することにより、撮影画角内に設定された測距エリアが合焦状態となるようにピント調整を行なうピント調整部とを備えた撮影装置において、
この撮影装置が、この撮影装置の振動を検出するセンサを備え、
前記ピント調整部が、前記センサにより検出された振動に応じて、前記測距エリアを切り替えるものであることを特徴とする撮影装置。
【請求項２】
前記センサが、手ぶれ検出用のセンサであって、
この撮影装置が、前記センサにより手ぶれを検出して該手ぶれを補正する手ぶれ補正部を備えたものであることを特徴とする請求項１記載の撮影装置。
【請求項３】
前記センサが、振動の方向を検出するセンサであって、
前記ピント調整部が、測距エリアを前記センサにより検出された方向に切り替えるものであることを特徴とする請求項１記載の撮影装置。
【発明の詳細な説明】
【技術分野】
【０００１】
本発明は、撮像素子を備え、その撮像素子上に被写体像を形成して画像信号を生成する撮影装置に関する。
【背景技術】
【０００２】
近年においては、自動的にピント調整を行なう、いわゆるオートフォーカス（以降ＡＦという）機能を備えた撮影装置が多い。そのＡＦ機能を備えた撮影装置の中には、撮影レンズを通してピント調整を行なう、いわゆるＴＴＬ（Ｔｈｒｏｕｇｈ  Ｔｈｅ  Ｌｅｎｓ）測距を行なうものや撮影光路外に多点測距センサを設けて被写体からの結像位置の位置ずれを位相差として検出して測距を行なうもの等がある（特許文献１参照）。特許文献１のものでは、複数の測距エリアごとに受光素子であるラインセンサを複数並べて配置して各測距エリアごとに、同じ被写体の結像位置の位置ずれを位相差として検出するようなことが行なわれている。またＴＴＬ測距を行なうものの中には、撮像素子がパッシブ型の測距センサとして用いられ被写体の中の、最も被写体コントラストが高い領域に自動的にピントが設定されて撮影が行なわれるものもある（例えば特許文献２参照）。さらにそのパッシブ型の測距センサである撮像素子の測定領域が被写体の全領域に及んでいることを利用して、撮像素子で測定することができる範囲内のいずれかの領域に十字キー等の操作子を操作することで測距エリアを指定してその測距エリアが合焦状態となるようにピントが調整されるものもある（例えば特許文献３参照）。また上記特許文献１のようなＡＦ機能を持つ撮影装置においても、十字キー等の操作子を操作することで測距エリアを指定してその測距エリアが合焦状態となるようにピント調整が行なえるものがある。
【０００３】
いずれにしても測距エリアの設定が自在に行なえるモードを以降の説明においてはワイドエリアＡＦモードと称することとする。
【０００４】
図１は、ファインダ代わりに視認される、デジタルカメラの表示画面２００を示す図である。
【０００５】
図１に示す表示画面２００上には十字型に配置された５つの測距エリアが被写体に重ねて表示されており、上記したように最も被写体コントラストの高い領域に自動的にピントが設定されるモード（以降オートＡＦモードという）が指定されていたとすると、その５つの測距エリアのうち、最も高い被写体コントラストの得られる測距エリアが合焦点となるようにフォーカスレンズの位置が調節される。
【０００６】
このオートモードが指定されると、図１の左上に示される新郎新婦にピントを合わせたい場合があっても、図１の右下に示す火の付いているキャンドルと背景とのコントラストが最も高くなってしまい、そこにピントが設定されて撮影が行なわれてしまう場合が多い。そうすると、絞りの状態によっては新郎新婦の顔が被写界深度内には入るが少しぼけ気味になって撮影されてしまう恐れがある。
【０００７】
また、例えば中央に測距エリアが固定的に設定されるモード（以降一点ＡＦモードという）があってそのモードが指定されたとすると、中央の測距エリアが合焦点状態となるようにフォーカスレンズの位置が調節されて撮影が行なわれる。この例では、フォーカスの位置が中央に設定されると、無限大の位置にピントが設定されてしまう恐れがある。
【０００８】
そこでこれらの恐れが生じる場合には、上記ワイドエリアＡＦモードを選択して自分の気にいったところに測距エリアを設定する方が撮影の失敗が少なくなる。しかし、特許文献３のもののように十字キーやタッチパネルを操作することにより、ワイドエリアＡＦモードで指定されている５つの測距エリアの中からいずれかの測距エリアを選択するとなると、図１のような新郎新婦およびその周辺が被写体である場合などにおいては、一旦レリーズ釦から手を離し、十字キーの操作やタッチパネルの操作に集中しなければならず、操作中に新郎新婦が別の場所に動いてしまったり、姿勢が変化してしまったりしてシャッタチャンスを逸してしまう恐れがある。
【特許文献１】特開平１１−１５３７５０号公報
【特許文献２】特開２０００−３３８３８７号公報
【特許文献３】特開２００４−０４８５２６号公報
【発明の開示】
【発明が解決しようとする課題】
【０００９】
本発明は、上記事情に鑑み、撮影画角内のいずれかの領域に測距エリアを設定する操作を行なっていたとしてもシャッタチャンスを逸することのない撮影装置を提供することを目的とする。
【課題を解決するための手段】
【００１０】
上記目的を達成する本発明の撮影装置は、被写体像の照射を受けて画像信号を生成する撮像素子と、
ピント調整用の光学部材を含み前記撮像素子上に被写体像を結像する撮影光学系と、
撮影操作に応じて前記撮像素子に記録用の画像信号を生成させて記録する撮影部と、
上記光学部材を駆動することにより、撮影画角内に設定された測距エリアが合焦位置となるようにピント調整を行なうピント調整部とを備えた撮影装置において、
この撮影装置が、この撮影装置の振動を検出するセンサを備え、
上記ピント調整部が、上記センサにより検出された振動に応じて、上記測距エリアを切り替えるものであることを特徴とする。
【００１１】
上記撮影装置によれば、上記ピント調整部が、上記センサにより検出された振動に応じて、例えば図１に示す測距エリアを順次切り替えていく。
【００１２】
つまり、この撮影装置を構えているときにこの撮影装置を何回か振って振動させることで自動的に測距エリアを切り替えることができる。
【００１３】
そうすると、この撮影装置を構えてレリーズ釦に指を掛けたままファインダ代わりのパネルを見ながら測距エリアの切替が行なえる。このようにレリーズ釦に指を掛けたまますばやく測距エリアの設定を行なうことができると測距エリアを設定する操作を行なっていても指がレリーズ釦から離れることがなく測距エリア設定後すぐにレリーズ釦を押して撮影が行なえるようになる。
【００１４】
このようにして撮影画角内のいずれかに測距エリアを設定する操作を行なっていてもシャッタチャンスを逸することなく撮影が行なえる撮影装置が実現される。
【００１５】
ここで、上記センサが、手ぶれ検出用のセンサであって、
この撮影装置が、上記センサにより手ぶれを検出してその手ぶれを補正する手ぶれ補正部とを備えたものであることが好ましい。
【００１６】
上記センサとして手ぶれ検出用のセンサを用いることができる。この手ぶれ検出用のセンサは、手ぶれ補正用としてデジタルカメラ内部に配備されているものが多いため、その手ぶれ検出用のセンサを上記振動検出用のセンサとしても用いることができる。そうすると、部品点数の低減が図れ、さらに撮影装置全体のコストダウンが図れる。
【００１７】
また、上記発明では、上記センサにより検出された振動に応じて、上記測距エリアを切り替えるものであったが、
上記センサが、振動の方向を検出するセンサであって、
上記ピント調整部が、測距エリアを上記センサにより検出された方向に切り替えるものであっても良い。
【００１８】
上記センサが振動の方向を検出するセンサであったとすると、この撮影装置の振り方が変化すると上記センサにより方向が検出され、その方向に測距エリアが切り替えられるため、撮影者が意図した測距エリアの方向への測距エリア切替の操作性が一段と向上する。また、測距エリアの切替が迅速に行なわれシャッタチャンスをより確実に捉えることができる。
【発明の効果】
【００１９】
以上、説明したように、撮影画角内のいずれかに測距エリアを設定する操作を行なっていてもシャッタチャンスを逸することのない撮影装置が実現される。
【発明を実施するための最良の形態】
【００２０】
以下、本発明の実施の形態について説明する。
【００２１】
図２は、本発明の撮影装置の一実施形態であるデジタルカメラを示す図である。
【００２２】
図２に本発明の一実施形態であるデジタルカメラの構成斜視図である。
【００２３】
図２に示すデジタルカメラ１００は、ピント調整用の光学部材例えばフォーカスレンズを含む撮影光学系により撮像素子上に被写体像を結像し、被写体コントラストを検知してピント調整を行なうとともに、撮影操作に応じて記録用の画像信号を生成して記録するものである。この例では、一点ＡＦモード、オートＡＦモード、ワイドエリアモードの３つのＡＦモードを有しているデジタルカメラが例として掲げられており、ワイドエリアモードが選択されて例えば図１に示す５つの測距エリアが設定され操作によりいずれかの測距エリアが指定された場合には、そのエリアが合焦状態となるように被写体コントラストが検知されピント調整が行なわれる。なお、ここでは被写体コントラストを検知して測距を行なうものを例に掲げているが、特許文献１に示したように外部ＡＦセンサにより位相差を検出して測距を行なうものであっても良く、また、撮像素子内に位相差を検出するセンサが組み込まれたものであっても良い。
【００２４】
図２に示すように、本実施形態のデジタルカメラ１００のカメラボディ中央にはレンズ鏡胴１７０が配備されている。そのレンズ鏡胴１７０に上記フォーカスレンズを含む撮影光学系が内蔵されており、その撮影光学系を通してデジタルカメラ１００内部に配備されているＣＣＤ固体撮像素子（以降ＣＣＤという）まで被写体の像が導かれるようになっている。また、レンズ鏡胴１７０上方にはファインダ１０５や窓枠にプロテクタ１６０が嵌め込まれている閃光発光窓が配備されている。
【００２５】
このデジタルカメラ１００では、デジタルカメラ１００内部のＣＣＤでスルー画や撮影画像を表す画像信号が生成される他、ＣＣＤで得られた画像信号に基づいて前述したＴＴＬ測距やさらにＴＴＬ測光も行われて被写体距離や被写体輝度が検出されるようになっている。
【００２６】
本実施形態のデジタルカメラ１００が有する、カメラボディ上面にあるレリーズ釦１０２は、半押しと全押しの２つの操作態様を有しているので、半押し時にＴＴＬ測光を行なって絞りの開口径を調節し、さらに上記ＴＴＬ測距を行なって合焦位置を検出してフォーカスレンズを合焦位置に配置した後、全押し操作に応じてＣＣＤに露光を行なわせるようにしている。また、本実施形態のデジタルカメラ１００には、手ぶれ検出センサ（後述する）と手ぶれ補正制御部（後述する）とが配備されており、手ぶれ検出センサによってこの撮影装置の手ぶれが検出されると、検出された手ぶれに応じて手ぶれ補正制御部により例えば手ぶれ補正レンズの位置が調整されて手ぶれが補正されるようになっている。
【００２７】
また、本発明のデジタルカメラは、ＡＦモードとして前述のオートＡＦモード、ワイドエリアＡＦモード、一点ＡＦモードという３つのモードを有しており、ワイドエリアＡＦモードが指定された場合には、図１に示すデジタルカメラが図中の矢印の方向のいずれかに撮影前に意図的に大きく振られると、手ぶれ検出センサによりその振れが操作用のふれとして検出され測距エリア（以降ＡＦエリアという）が順次切り替えられていくような構成にもなっている。
【００２８】
なお、本実施形態のデジタルカメラ１００には、フラッシュ調光センサに光を導くための窓１４１やＡＦ補助光を被写体に向けて照射するためのＡＦ補助光用窓１８０が設けられている。
【００２９】
図３は、図２に示すデジタルカメラ１００の内部に配備された信号処理部の構成を示す図である。
【００３０】
図３を参照してデジタルカメラ１００内にある信号処理部の構成を説明する。
【００３１】
本実施形態のデジタルカメラ１００ではすべての処理が映像処理部１１０内のＣＰＵ１１０１によって統括的に制御されていて、このＣＰＵ１１０１の入力部には図２には不図示の各種スイッチ群１０１側からの操作信号やレリーズ釦側からの操作信号や手ぶれ検出センサを含む手ぶれ検出部１４２からの手ぶれ検出信号がそれぞれ供給されている。また、ＣＰＵ１１０１の出力部には、ＣＣＤ制御部１２０やフォーカシング制御部１３０や手ぶれ補正制御部１４０やフラッシュ制御部１５０などが接続されており、前述の入力信号に応じてそのＣＰＵ１１０１の出力部から制御信号が適宜出力されＣＣＤ制御部１２０、フォーカシング制御部１３０、手ぶれ補正制御部１４０、フラッシュ制御部１５０の動作が各々独立に制御される。撮影時（Ｓ４０６処理時）に手ぶれがあったときには上記手ぶれ検出部１４２により検出された手ぶれの状態に応じてＣＰＵ１１０１が手ぶれ補正制御部１４０に指示を出し、ドライバ１４１に例えば手ぶれ補正レンズを駆動させることにより手ぶれ補正が行なわれる。この手ぶれ補正制御部１４０とドライバ１４１と手ぶれ補正レンズとが本発明にいう手ぶれ補正部にあたる。
【００３２】
なお、図３には、映像処理部１１０内にＣＰＵ１１０１が組み込まれているもの（例えばＡＳＩＣなどのような特定用途に用いられるＩＣ）の構成が示されており、映像処理部１１０とＣＰＵ１１０１とが協同して動作することが示されている。
【００３３】
その映像処理部１１０内のＣＰＵ１１０１は映像処理部１１０の外部にあるプログラムメモリであるＦＬＡＳＨＲＯＭ１９１に書き込まれているプログラムに基づいて動作するようになっており、電源スイッチが投入されると、そのＦＬＡＳＨＲＯＭ１９１内のプログラムの手順にしたがってＣＰＵ１１０１によりこのデジタルカメラ１００全体の動作が制御される。
【００３４】
また、ＣＣＤ１８０が高画素数の場合には、映像処理部１１０内のフレームメモリだけでは処理し切れない事態が発生する恐れがあるので、画像信号を一旦すべて記憶しておくためのＳＤＲＡＭ１９２も配備されている。
【００３５】
ここで撮影モード時の画像信号の流れを、図３を参照して説明する。
【００３６】
図３に示すスイッチ群１０１の中の電源スイッチが投入されたら、電源（図示せず）からＣＣＤ１８０などに電力が供給される。電源が投入されたときにスイッチ群１０１の中のモードレバーが撮影側に切り替えられていた場合には、ＣＣＤ１８０に結像された被写体像が画像信号として所定の間隔ごとに間引かれて後段側へ出力され、その出力された画像信号に基づく被写体像が液晶ディスプレイ装置１６０の表示画面上に表示される。このＣＣＤ１８０にはＣＣＤ制御部１２０からタイミング信号が供給されており、このタイミング信号によって所定の間隔ごとに、画像信号が間引かれて出力される。このＣＣＤ制御部１２０はＣＰＵ１１０１からの指示に基づいてタイミング信号をＣＣＤ１８０に向けて出力しており、そのタイミング信号に応じてＣＣＤ１８０では露光が行なわれたり、画像信号の出力が行なわれたりする。
【００３７】
このようにしてＣＣＤ１８０から出力されたアナログの画像信号が後段のアナログ信号処理部１８１へと出力される。このアナログ信号処理部１８１で雑音の低減処理等が行なわれた後、雑音の低減処理等が行なわれたアナログの画像信号がＡ／Ｄ変換器１８２でデジタルの画像信号に変換される。このデジタルの画像信号が映像処理部１１０へ供給され、この映像処理部１１０で映像処理が行なわれる。
【００３８】
この映像処理の中には例えばアナログの映像信号であるＲＧＢ信号をＹＣ信号に変換する変換処理、画像信号の圧縮処理、さらにはＡＦ（Ａｕｔｏ  Ｆｏｃｕｓ）に関する処理やＡＥ（Ａｕｔｏ  Ｅｘｐｏｓｕｒｅ）に関する処理等が含まれている。ここではレリーズ釦１０２がまだ押されていないので、映像処理部１１０で変換処理されたＹＣ信号が液晶ディスプレイ装置１６０に所定の間隔ごとに供給され、この所定の間隔ごとに供給されてくるＹＣ信号に基づいて液晶ディスプレイ装置１６０内のドライバによって表示画面上に被写体像の表示が行なわれる。前述したＣＣＤ制御部１２０から出力されるタイミング信号に同期してＣＣＤ１８０、アナログ信号処理部１８１、Ａ／Ｄ変換部１８２、映像処理部１１０が動作して、所定の間隔ごとにＣＣＤ１８０で生成された画像信号が次々と処理されている訳であるから、液晶ディスプレイ装置１６０の表示画面上には撮影レンズが向けられた方向の被写体が被写体像として絶えず表示される。この表示されている被写体像を視認しながら、シャッタチャンスにレリーズ釦１０２が押されたら、先ずレリーズ釦１０２の半押し時に映像処理部１１０内のＡＦ部によって被写体距離の測定が行なわれる。ＣＰＵ１１０１はＡＦ部の測定結果をフォーカシング制御部１３０に伝えて、フォーカシング制御部１３０にフォーカスレンズ１７０１の位置制御を行なわせる。ここではフォーカシング制御部１３０からの指示をドライバ１３１に伝えてドライバ１３１にフォーカスレンズ１７０１を駆動させている。この映像処理部１１０とフォーカスレンズ１７０１とフォーカシング制御部１３０とドライバ１３１とが、本発明にいうピント調整部にあたる。
【００３９】
また、映像処理部１１０内には、ＡＥ部も配備されており、そのＡＥ部で被写界輝度が測光されて被写界が暗いと判定されたら、フラッシュ制御部１５０に測光結果を伝えて、全押し時にフラッシュ制御部１５０にフラッシュの発光を行なわせている。ここでは、フラッシュ制御部１５０からフラッシュ部１５１内にあるＩＧＢＴのベースに閃光開始信号が供給されキセノン管が発光することによってフラッシュが被写体に向けて照射される。
【００４０】
また、レリーズ釦１０２の全押しタイミングを起点としてＣＣＤ制御部１２０からＣＣＤ１８０に向けて露光開始信号を供給させ、さらに所定の時間を経た後、露光終了信号をＣＣＤ制御部１２０に供給させ、ＣＣＤ１８０に結像された画像信号すべてを後段のアナログ信号処理部１８１へと出力させる。このアナログ信号処理部１８１で信号処理された画像信号がＡ／Ｄ変換部１８２、さらには映像処理部１１０へと供給される。その映像処理部１１０内でＹＣ信号への変換処理や圧縮処理等が行なわれた後、記録メディアであるメモリカード（図示せず）に画像信号が記録される。また、このスイッチ群１０１の中の撮影モード／再生モード切替スイッチ（図示せず）が再生モード側に切り替えられたら、メモリカードから画像信号が読み出され映像処理部１１０内で伸張処理が行なわれた後、伸張された画像信号に基づく被写体像が液晶ディスプレイ装置１６０の表示画面上に表示される。
【００４１】
図４は、ワイドエリアＡＦモードが選択されたときにＣＰＵ１１０が行なうＡＦエリア選択処理の手順を示すフローチャートである。
【００４２】
ワイドエリアＡＦモードが選択された後、レリーズ釦１０２が半押し（ＳＰ１）状態になったときにこのフローの処理が開始される。なお、フロー中には半押し状態を符号ＳＰ１と記載し、全押し状態を符号ＳＰ２と記載してある。
【００４３】
まず、ステップＳ４０１で図１に示すいずれかがＡＦエリアとして設定されているとしてその領域のＡＦ処理を行う。次のステップＳ４０２へ進んで図１に示すようなＡＦエリア（四角形で示されている）を表示画面上に表示して、ステップＳ４０２でＡＦ処理を行なっている領域のＡＦエリアを他のエリアよりも明るくして表示する（図１では点線と実線とで区別してＡＦエリアが示されており、実線で示されているＡＦエリアが現在ＡＦ処理中であるＡＦエリアとして示されている）。次のステップＳ４０３へ進み、レリーズ釦１０２が半押し状態ＳＰ１にあるところから元に戻されたかどうかを判定する。レリーズ釦１０２が半押しされはしたが元に復帰していると判定したら、Ｙｅｓ側へ進み、ステップＳ４０７で表示していたＡＦエリアを消してこのフローの処理を終了する。
【００４４】
ステップＳ４０３で、半押し状態ＳＰ１のままであると判定したらＮｏ側へ進み、次のステップＳ４０４で手ぶれ検出を行なう。ここで手ぶれがあったと判定したら、Ｙｅｓ側へ進み、ステップＳ４１０でＡＦエリアを過去のエリアと異なるＡＦエリアに切り替えてステップＳ４０２へ進み切り替えられたＡＦエリアを他のＡＦエリアよりも明るくして表示する。
【００４５】
ステップＳ４０３〜ステップＳ４０５で同様の処理を繰り返し、ステップＳ４０５で全押し（ＳＰ２ＯＮ）されたと判定したらＹｅｓ側に進みステップＳ４０６で撮影を行なってメモリカードなどの記録メディアに画像を記録し、次のステップＳ４０７でＡＦエリアの表示を消してこのフローの処理を終了する。
【００４６】
このようにしておくと、例えば、最初は右端にあったＡＦエリアを、撮影装置を何回か振ることによって新郎新婦の顔辺りにセットすることができるので自分のとりたいエリアにＡＦエリアをいち早く設定して撮影が行なえる。
【００４７】
このように図４のフローに従えば手ぶれ検出回数をＡＦエリアの切替信号として処理することができるが、少しの揺れでも手ぶれとして検出するようにしてしまうと、ＡＦエリアが頻繁に切り替わってしまう可能性が高い。
【００４８】
そこで、図５に示すフローでは、ＦＬＡＳＨＲＯＭ１９１内に格納されているプログラムに手ぶれ検出センサの手ぶれ具合を判定するための閾値を予め書き込んでおくことによって、ＡＦエリアを切り替えるための意図的な手ぶれであるか、あるいは撮影操作中の意図しない手ぶれであるかどうかを判定することができるようにして、ちょっとした手ぶれによって頻繁にＡＦエリアが切り替わることがないようにしている。
【００４９】
さらにＡＦエリアの設定中に手ぶれがあると、撮影時にピントがずれてしまう恐れもあるので、閾値を２段階に設定してＡＦ中に手ぶれがあった場合にも手ぶれ補正を行なうことができるようにしている。
【００５０】
図５は、図４のフローに判定ステップＳ４０４１と手ぶれ補正処理ステップＳ４０４２を追加してＡＦエリアを切り替える操作用の手ぶれであるか、またはＡＦ中に手ぶれが起きたか場合には手ぶれを補正することができるようにした場合のＡＦエリア選択処理の手順を示すフローチャートである。
【００５１】
その判定ステップＳ４０４１と手ぶれ補正処理ステップＳ４０４２を追加した以外、図４のフローと全く同じであるのでステップＳ４０４１〜ステップ４０４２の処理を説明する。
【００５２】
ここでは、閾値として設定値１、さらにその設定値１よりも大きな値の設定値２という２つの閾値を書き込んで設定値２以上となった場合に、ＡＦエリア切替を行なうと判定するように変更している。このように大きなぶれは意図的に行なわないとありえないという設定値を設定しておくことで手ぶれ検出センサをうまく活用している。
【００５３】
判定ステップＳ４０４１と手ぶれ補正処理ステップＳ４０４２以外の処理は図４と全く同じなので、判定ステップＳ４０４１と手ぶれ補正処理ステップＳ４０４２のところを説明する。
【００５４】
判定ステップＳ４０４１で手ぶれ検出を行なって比較判定を行なったときにぶれの程度が設定値１未満であると判定したら、手ぶれ補正処理を行なわずにステップＳ４０７へジャンプしている。またステップＳ４０４１で比較判定を行なったときにぶれの程度が設定値１〜設定値２までの間であると判定したらステップＳ４０４２で手ぶれ補正処理を行なうようにしてＡＦエリアの位置ずれが起こらないようにし、設定値が設定値２を超えたときにステップＳ４１０でＡＦエリアの切替を行なうようにしている。
【００５５】
このようにしておくと、ＡＦエリアの頻繁な切り替わりが抑制され、さらにユーザが意図的な手ぶれを行なってＡＦエリアの切替を行なうにあたって、どの程度の手ぶれを起こしたらＡＦエリアが切り替わるかが感触により得られるようになる。
【００５６】
以上説明したように、撮影画角内のいずれかにＡＦエリアを設定する操作を行なっていてもシャッタチャンスを逸することのない撮影装置が実現される。
【００５７】
なお、本実施形態では、手ぶれ検出センサを本発明にいうセンサとして用いたが、振動の方向を直交する２方向（例えば水平方向、垂直方向）でそれぞれ検出することができる２軸角速度センサ等を別途設けても良い。
【００５８】
そうすると、実施形態で説明したように順次切り替えていくのではなく、振動の方向（水平方向であるかもしくは垂直方向であるか）によって切替の方向を変更することができるようになる。図１に示したように５つのエリアではなく、より多くのＡＦエリアが設けられたような場合には、撮影装置を振った方向にＡＦエリアが切り替えられていく方が、使い勝手が良くなる場合もある。
【００５９】
また、本実施形態では、パッシブセンサである撮像素子、または撮影光路もしくはファインダ光路上に配置されたラインセンサ（撮像素子を含む）でＴＴＬ測距を行なう場合の例を示したが、ＴＴＬ測距を行なうものではなく撮影光路外に設けられた外部の多点測距センサにより測距を行なうものであっても良い。
【図面の簡単な説明】
【００６０】
【図１】ファインダ代わりに視認される、デジタルカメラの表示画面を示す図である。
【図２】本発明の撮影装置の一実施形態であるデジタルカメラを示す図である。
【図３】図１のデジタルカメラ１００の内部に配備された信号処理部の構成を示す図である。
【図４】ワイドエリアＡＦモードが選択されたときにＣＰＵ１１０が行なうＡＦエリア選択処理の手順を示すフローチャートである。
【図５】図４のフローに判定ステップを追加してＡＦエリアを切り替える操作用の手ぶれであるか、またはＡＦ中に手ぶれが起きたかどうかを判定することができるようにした場合のＡＦエリア選択処理の手順を示すフローチャートである。
【符号の説明】
【００６１】
１００    デジタルカメラ
１０２      レリーズ釦
１０５      ファインダ
１１０      映像処理部
１１０１    ＣＰＵ
１２０    ＣＣＤ制御部
１３０      フォーカシング制御部
１３１    ドライバ
１４０      手ぶれ補正制御部
１４１    ドライバ
１５０    フラッシュ制御部
１５１    フラッシュ部
１６０    液晶ディスプレイ装置
１７０    レンズ鏡胴
１８０    ＣＣＤ
１８１    アナログ信号処理部
１８２    Ａ／Ｄ変換器
１９１    ＦＬＡＳＨＲＯＭ
１９２    ＳＤＲＡＭ
【図１】
2006171408.tif 000003
【図２】
2006171408.tif 000004
【図３】
2006171408.tif 000005
【図４】
2006171408.tif 000006
【図５】
2006171408.tif 000007